【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
所定間隔で供給される撮像信号から顔を検出する検出手段と、
前記撮像信号による撮像画面に対して、ＡＦ評価値を検出するための、前記検出手段で検出された顔に対応する第１の評価枠と、該第１の評価枠を含み該第１の評価枠よりも大きい第２の評価枠とを設定する設定手段と、
前記設定手段により設定された前記第１および第２の評価枠の中の前記撮像信号に基づきＡＦ評価値を取得する取得手段と、
前記取得手段で取得された前記ＡＦ評価値に基づき撮像光学系の合焦制御を行う合焦制御手段と
を有し、
前記合焦制御手段は、
前記検出手段で前記撮像信号から顔が検出されたら、前記第１および第２の評価枠の中の前記撮像信号に基づき前記取得手段で取得された前記ＡＦ評価値を用いて前記合焦制御を行い、
前記検出手段で前記撮像信号から顔が検出された後に該顔が検出されなくなったら、前記第２の評価枠の中の前記撮像信号に基づき前記取得手段で取得された前記ＡＦ評価値の、前記顔が検出されたときからの変動量を検出し、
該変動量が変動量閾値を超えていなければ、前記第１および第２の評価枠の中の前記撮像信号のそれぞれに基づき前記取得手段で取得された前記ＡＦ評価値を用いて前記合焦制御を行う
ことを特徴とする自動合焦装置。
【請求項２】
所定間隔で供給される撮像信号から顔を検出する検出手段と、
前記撮像信号による撮像画面に対して、ＡＦ評価値を検出するための、前記検出手段で検出された顔に追従した第１の評価枠と、前記検出手段で検出された顔に追従しない第２の評価枠とを設定する設定手段と、
前記設定手段により設定された前記第１および第２の評価枠の中の前記撮像信号に基づきＡＦ評価値を取得する取得手段と、
前記取得手段で取得された前記ＡＦ評価値に基づき撮像光学系の合焦制御を行う合焦制御手段と
を有し、
前記合焦制御手段は、
前記検出手段で前記撮像信号から顔が検出されたら、前記第１および第２の評価枠の中の前記撮像信号に基づき前記取得手段で取得された前記ＡＦ評価値を用いて前記合焦制御を行い、
前記検出手段で前記撮像信号から顔が検出された後に該顔が検出されなくなったら、前記第２の評価枠の中の前記撮像信号に基づき前記取得手段で取得された前記ＡＦ評価値の、前記顔が検出されたときからの変動量を検出し、
該変動量が変動量閾値を超えていなければ、前記第１および第２の評価枠の中の前記撮像信号のそれぞれに基づき前記取得手段で取得された前記ＡＦ評価値を用いて前記合焦制御を行う
ことを特徴とする自動合焦装置。
【請求項３】
前記合焦制御手段は、
前記検出手段で前記撮像信号から顔が検出された後に該顔が検出されなくなった場合に、前記変動量が前記変動量閾値を超えたら、前記第２の評価枠の中のみの前記撮像信号に基づき取得された前記ＡＦ評価値を用いて前記合焦制御を行う
ことを特徴とする請求項１または請求項２に記載の自動合焦装置。
【請求項４】
所定間隔で供給される撮像信号から顔を検出する検出手段と、
前記撮像信号による撮像画面に対して、ＡＦ評価値を検出するための、前記検出手段で検出された顔に対応する第１の評価枠と、該第１の評価枠を含み該第１の評価枠よりも大きい第２の評価枠とを設定する設定手段と、
前記設定手段により設定された前記第１および第２の評価枠の中の前記撮像信号に基づきＡＦ評価値を取得する取得手段と、
前記取得手段で取得された前記ＡＦ評価値に基づき撮像光学系の合焦制御を行う合焦制御手段と
を有し、
前記合焦制御手段は、
前記検出手段で前記撮像信号から顔が検出されたら、前記第１および第２の評価枠の中の前記撮像信号に基づき前記取得手段で取得された前記ＡＦ評価値を用いて前記合焦制御を行い、
前記検出手段で前記撮像信号から顔が検出された後に該顔が検出されなくなったら、継続して顔が検出されない時間の計測を開始し、該時間が第１の時間閾値を超えたら、前記第２の評価枠の中の前記撮像信号に基づき前記取得手段で取得された前記ＡＦ評価値を用いて前記合焦制御を行う
ことを特徴とする自動合焦装置。
【請求項５】
所定間隔で供給される撮像信号から顔を検出する検出手段と、
前記撮像信号による撮像画面に対して、ＡＦ評価値を検出するための、前記検出手段で検出された顔に追従した第１の評価枠と、前記検出手段で検出された顔に追従しない第２の評価枠とを設定する設定手段と、
前記設定手段により設定された前記第１および第２の評価枠の中の前記撮像信号に基づきＡＦ評価値を取得する取得手段と、
前記取得手段で取得された前記ＡＦ評価値に基づき撮像光学系の合焦制御を行う合焦制御手段と
を有し、
前記合焦制御手段は、
前記検出手段で前記撮像信号から顔が検出されたら、前記第１および第２の評価枠の中の前記撮像信号に基づき前記取得手段で取得された前記ＡＦ評価値を用いて前記合焦制御を行い、
前記検出手段で前記撮像信号から顔が検出された後に該顔が検出されなくなったら、継続して顔が検出されない時間の計測を開始し、該時間が第１の時間閾値を超えたら、前記第２の評価枠の中の前記撮像信号に基づき前記取得手段で取得された前記ＡＦ評価値を用いて前記合焦制御を行う
ことを特徴とする自動合焦装置。
【請求項６】
前記合焦制御手段は、
前記検出手段で前記撮像信号から顔が検出された後に該顔が検出されなくなった場合、前記時間が前記第１の時間閾値を超えるまでは、前記第１および第２の評価枠の中の前記撮像信号に基づき前記取得手段で取得された前記ＡＦ評価値を用いて前記合焦制御を行う
ことを特徴とする請求項４または請求項５に記載の自動合焦装置。
【請求項７】
前記合焦制御手段は、
前記検出手段で前記撮像信号から顔が検出された後に該顔が検出されなくなった場合、前記時間が前記第１の時間閾値を超えなければ、
前記第２の評価枠の中の前記撮像信号に基づき前記取得手段で取得された前記ＡＦ評価値の、前記顔が検出されていたときからの変動量を検出し、該変動量が変動量閾値を超えなければ、前記第１および第２の評価枠の中の前記撮像信号に基づき前記取得手段で取得された前記ＡＦ評価値を用いて前記合焦制御を行う
ことを特徴とする請求項４または請求項５に記載の自動合焦装置。
【請求項８】
前記合焦制御手段は、
前記変動量が前記変動量閾値を超えたら、前記第２の評価枠の中のみの前記撮像信号に基づき取得された前記ＡＦ評価値を用いて前記合焦制御を行う
ことを特徴とする請求項７に記載の自動合焦装置。
【請求項９】
前記合焦制御手段は、
前記変動量が前記変動量閾値を超えた後に、依然として前記検出手段で前記撮像信号から前記顔が検出されていなかったら、前記時間が第２の時間閾値を超えるまで、前記第１および第２の評価枠の中の前記撮像信号に基づき前記取得手段で取得された前記ＡＦ評価値を用いて前記合焦制御を行う
ことを特徴とする請求項７に記載の自動合焦装置。
【請求項１０】
前記合焦制御手段は、
前記時間が前記第２の時間閾値を超えたら、前記第２の評価枠の中のみの前記撮像信号に基づき取得された前記ＡＦ評価値を用いて前記合焦制御を行う
ことを特徴とする請求項９に記載の自動合焦装置。
【請求項１１】
前記合焦制御手段は、
前記変動量閾値を、合焦を得るために前記撮像光学系の焦点距離を変化させながら探索された前記ＡＦ評価値のピーク値に応じて設定する
ことを特徴とする請求項１乃至請求項３および請求項７乃至請求項１０の何れか１項に記載の自動合焦装置。
【請求項１２】
請求項１乃至請求項１１の何れか１項に記載の自動合焦装置と、
前記撮像光学系を介して入射された光を光電変換して前記撮像信号として出力する撮像手段と、
前記撮像手段を用いて得られた前記撮像信号に基づく映像信号を記録媒体に記録する記録手段と
を有する
ことを特徴とする撮像装置。
【請求項１３】
自動合焦装置における自動合焦方法であって、
前記自動合焦装置の検出手段が、所定間隔で供給される撮像信号から顔を検出する検出ステップと、
前記自動合焦装置の設定手段が、前記撮像信号による撮像画面に対して、ＡＦ評価値を検出するための、前記検出ステップで検出された顔に対応する第１の評価枠と、該第１の評価枠を含み該第１の評価枠よりも大きい第２の評価枠とを設定する設定ステップと、
前記自動合焦装置の取得手段が、前記設定ステップにより設定された前記第１および第２の評価枠の中の前記撮像信号に基づきＡＦ評価値を取得する取得ステップと、
前記自動合焦装置の合焦制御手段が、前記取得ステップで取得された前記ＡＦ評価値に基づき撮像光学系の合焦制御を行う合焦制御ステップと
を有し、
前記合焦制御ステップでは、
前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、
前記検出ステップで前記撮像信号から顔が検出された後に該顔が検出されなくなったら、前記合焦制御手段が、前記第２の評価枠の中の前記撮像信号に基づき前記取得ステップで取得された前記ＡＦ評価値の、前記顔が検出されたときからの変動量を検出し、
該変動量が変動量閾値を超えていなければ、前記合焦制御手段が、前記第１および第２の評価枠の中の前記撮像信号のそれぞれに基づき前記取得ステップで取得された前記ＡＦ評価値を用いて前記合焦制御を行う
ことを特徴とする自動合焦方法。
【請求項１４】
自動合焦装置における自動合焦方法であって、
前記自動合焦装置の検出手段が、所定間隔で供給される撮像信号から顔を検出する検出ステップと、
前記自動合焦装置の設定手段が、前記撮像信号による撮像画面に対して、ＡＦ評価値を検出するための、前記検出ステップで検出された顔に追従した第１の評価枠と、前記検出ステップで検出された顔に追従しない第２の評価枠とを設定する設定ステップと、
前記自動合焦装置の取得手段が、前記設定ステップにより設定された前記第１および第２の評価枠の中の前記撮像信号に基づきＡＦ評価値を取得する取得ステップと、
前記自動合焦装置の合焦制御手段が、前記取得ステップで取得された前記ＡＦ評価値に基づき撮像光学系の合焦制御を行う合焦制御ステップと
を有し、
前記合焦制御ステップでは、
前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、
前記検出ステップで前記撮像信号から顔が検出された後に該顔が検出されなくなったら、前記合焦制御手段が、前記第２の評価枠の中の前記撮像信号に基づき前記取得ステップで取得された前記ＡＦ評価値の、前記顔が検出されたときからの変動量を検出し、
該変動量が変動量閾値を超えていなければ、前記合焦制御手段が、前記第１および第２の評価枠の中の前記撮像信号のそれぞれに基づき前記取得ステップで取得された前記ＡＦ評価値を用いて前記合焦制御を行う
ことを特徴とする自動合焦方法。
【請求項１５】
自動合焦装置における自動合焦方法であって、
前記自動合焦装置の検出手段が、所定間隔で供給される撮像信号から顔を検出する検出ステップと、
前記自動合焦装置の設定手段が、前記撮像信号による撮像画面に対して、ＡＦ評価値を検出するための、前記検出ステップで検出された顔に対応する第１の評価枠と、該第１の評価枠を含み該第１の評価枠よりも大きい第２の評価枠とを設定する設定ステップと、
前記自動合焦装置の取得手段が、前記設定ステップにより設定された前記第１および第２の評価枠の中の前記撮像信号に基づきＡＦ評価値を取得する取得ステップと、
前記自動合焦装置の合焦制御手段が、前記取得ステップで取得された前記ＡＦ評価値に基づき撮像光学系の合焦制御を行う合焦制御ステップと
を有し、
前記合焦制御ステップでは、
前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、
前記検出ステップで前記撮像信号から顔が検出された後に該顔が検出されなくなったら、前記合焦制御手段が、継続して顔が検出されない時間の計測を開始し、該時間が第１の時間閾値を超えたら、前記第２の評価枠の中の前記撮像信号に基づき前記取得ステップで取得された前記ＡＦ評価値を用いて前記合焦制御を行う
ことを特徴とする自動合焦方法。
【請求項１６】
自動合焦装置における自動合焦方法であって、
前記自動合焦装置の検出手段が、所定間隔で供給される撮像信号から顔を検出する検出ステップと、
前記自動合焦装置の設定手段が、前記撮像信号による撮像画面に対して、ＡＦ評価値を検出するための、前記検出ステップで検出された顔に追従した第１の評価枠と、前記検出ステップで検出された顔に追従しない第２の評価枠とを設定する設定ステップと、
前記自動合焦装置の取得手段が、前記設定ステップにより設定された前記第１および第２の評価枠の中の前記撮像信号に基づきＡＦ評価値を取得する取得ステップと、
前記自動合焦装置の合焦制御手段が、前記取得ステップで取得された前記ＡＦ評価値に基づき撮像光学系の合焦制御を行う合焦制御ステップと
を有し、
前記合焦制御ステップでは、
前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、
前記検出ステップで前記撮像信号から顔が検出された後に該顔が検出されなくなったら、前記合焦制御手段が、継続して顔が検出されない時間の計測を開始し、該時間が第１の時間閾値を超えたら、前記第２の評価枠の中の前記撮像信号に基づき前記取得ステップで取得された前記ＡＦ評価値を用いて前記合焦制御を行う
ことを特徴とする自動合焦方法。
【手続補正２】
【補正対象書類名】明細書
【補正対象項目名】００１６
【補正方法】変更
【補正の内容】
【００１６】
また、本発明は、自動合焦装置における自動合焦方法であって、前記自動合焦装置の検出手段が、所定間隔で供給される撮像信号から顔を検出する検出ステップと、前記自動合焦装置の設定手段が、前記撮像信号による撮像画面に対して、ＡＦ評価値を検出するための、前記検出ステップで検出された顔に対応する第１の評価枠と、該第１の評価枠を含み該第１の評価枠よりも大きい第２の評価枠とを設定する設定ステップと、前記自動合焦装置の取得手段が、前記設定ステップにより設定された前記第１および第２の評価枠の中の前記撮像信号に基づきＡＦ評価値を取得する取得ステップと、前記自動合焦装置の合焦制御手段が、前記取得ステップで取得された前記ＡＦ評価値に基づき撮像光学系の合焦制御を行う合焦制御ステップとを有し、前記合焦制御ステップでは、前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、前記検出ステップで前記撮像信号から顔が検出された後に該顔が検出されなくなったら、前記合焦制御手段が、前記第２の評価枠の中の前記撮像信号に基づき前記取得ステップで取得された前記ＡＦ評価値の、前記顔が検出されたときからの変動量を検出し、該変動量が変動量閾値を超えていなければ、前記合焦制御手段が、前記第１および第２の評価枠の中の前記撮像信号のそれぞれに基づき前記取得ステップで取得された前記ＡＦ評価値を用いて前記合焦制御を行う
ことを特徴とする。
【手続補正３】
【補正対象書類名】明細書
【補正対象項目名】００１７
【補正方法】変更
【補正の内容】
【００１７】
また、本発明は、自動合焦装置における自動合焦方法であって、前記自動合焦装置の検出手段が、所定間隔で供給される撮像信号から顔を検出する検出ステップと、前記自動合焦装置の設定手段が、前記撮像信号による撮像画面に対して、ＡＦ評価値を検出するための、前記検出ステップで検出された顔に追従した第１の評価枠と、前記検出ステップで検出された顔に追従しない第２の評価枠とを設定する設定ステップと、前記自動合焦装置の取得手段が、前記設定ステップにより設定された前記第１および第２の評価枠の中の前記撮像信号に基づきＡＦ評価値を取得する取得ステップと、前記自動合焦装置の合焦制御手段が、前記取得ステップで取得された前記ＡＦ評価値に基づき撮像光学系の合焦制御を行う合焦制御ステップとを有し、前記合焦制御ステップでは、前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、前記検出ステップで前記撮像信号から顔が検出された後に該顔が検出されなくなったら、前記合焦制御手段が、前記第２の評価枠の中の前記撮像信号に基づき前記取得ステップで取得された前記ＡＦ評価値の、前記顔が検出されたときからの変動量を検出し、該変動量が変動量閾値を超えていなければ、前記合焦制御手段が、前記第１および第２の評価枠の中の前記撮像信号のそれぞれに基づき前記取得ステップで取得された前記ＡＦ評価値を用いて前記合焦制御を行うことを特徴とする。
【手続補正４】
【補正対象書類名】明細書
【補正対象項目名】００１８
【補正方法】変更
【補正の内容】
【００１８】
また、本発明は、自動合焦装置における自動合焦方法であって、前記自動合焦装置の検出手段が、所定間隔で供給される撮像信号から顔を検出する検出ステップと、前記自動合焦装置の設定手段が、前記撮像信号による撮像画面に対して、ＡＦ評価値を検出するための、前記検出ステップで検出された顔に対応する第１の評価枠と、該第１の評価枠を含み該第１の評価枠よりも大きい第２の評価枠とを設定する設定ステップと、前記自動合焦装置の取得手段が、前記設定ステップにより設定された前記第１および第２の評価枠の中の前記撮像信号に基づきＡＦ評価値を取得する取得ステップと、前記自動合焦装置の合焦制御手段が、前記取得ステップで取得された前記ＡＦ評価値に基づき撮像光学系の合焦制御を行う合焦制御ステップとを有し、前記合焦制御ステップでは、前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、前記検出ステップで前記撮像信号から顔が検出された後に該顔が検出されなくなったら、前記合焦制御手段が、継続して顔が検出されない時間の計測を開始し、該時間が第１の時間閾値を超えたら、前記第２の評価枠の中の前記撮像信号に基づき前記取得ステップで取得された前記ＡＦ評価値を用いて前記合焦制御を行うことを特徴とする。
【手続補正５】
【補正対象書類名】明細書
【補正対象項目名】００１９
【補正方法】変更
【補正の内容】
【００１９】
また、本発明は、自動合焦装置における自動合焦方法であって、前記自動合焦装置の検出手段が、所定間隔で供給される撮像信号から顔を検出する検出ステップと、前記自動合焦装置の設定手段が、前記撮像信号による撮像画面に対して、ＡＦ評価値を検出するための、前記検出ステップで検出された顔に追従した第１の評価枠と、前記検出ステップで検出された顔に追従しない第２の評価枠とを設定する設定ステップと、前記自動合焦装置の取得手段が、前記設定ステップにより設定された前記第１および第２の評価枠の中の前記撮像信号に基づきＡＦ評価値を取得する取得ステップと、前記自動合焦装置の合焦制御手段が、前記取得ステップで取得された前記ＡＦ評価値に基づき撮像光学系の合焦制御を行う合焦制御ステップとを有し、前記合焦制御ステップでは、前記検出ステップで前記撮像信号から顔が検出されたら、前記合焦制御手段が、前記第１および第２の評価枠の中の前記撮像信号に基づき前記取得ステップで取得された前記ＡＦ評価値を用いて前記合焦制御を行い、前記検出ステップで前記撮像信号から顔が検出された後に該顔が検出されなくなったら、前記合焦制御手段が、継続して顔が検出されない時間の計測を開始し、該時間が第１の時間閾値を超えたら、前記第２の評価枠の中の前記撮像信号に基づき前記取得ステップで取得された前記ＡＦ評価値を用いて前記合焦制御を行うことを特徴とする。